(57)【要約】      （修正有）【課題】背もたれの角度が調節可能で、担架としても使用できる持ち運び可能な折り畳み座席を提供する。【解決手段】折り畳み座席は、着座部分と、着座部分に回転可能に蝶着された背もたれを含む。着座部分は、着座パネル１１０、第１の足スタンド１２０、可動スタンド１４０、第２の足スタンド１３０、第１の引張棒１５１及び第２の引張棒１５３を備え、第１の足スタンドの上側端が着座パネルに蝶着され、可動スタンドが着座パネルに蝶着され、第２の足スタンドの上側端が可動スタンドの自由端に蝶着され、それぞれが回転可能であり、第１の引張棒の両端が第１の足スタンドと可動スタンドにそれぞれ蝶着され、可動スタンド及び第１の足スタンドが、着座パネル及び第１の引張棒の制限下で協働して回転し、第２の引張棒の両端が着座部分と第２の足スタンドにそれぞれ蝶着され、第２の足スタンド及び着座パネルが、可動スタンド及び第２の引張棒の制限下で協働して回転する。【選択図】図５
0003202243.tif 000002
【実用新案登録請求の範囲】
【請求項１】
着座部分を含む折り畳み座席であって、前記着座部分は：
着座パネル；
第１の足スタンドであって、該第１の足スタンドの上側端が前記着座パネルに蝶着され、したがって、蝶着位置に関して及び前記着座パネルに対して回転可能である、第１の足スタンド；
前記着座パネルに蝶着され、したがって、蝶着位置に関して及び前記着座パネルに対して回転可能である、可動スタンド；
第２の足スタンドであって、該第２の足スタンドの上側端が前記可動スタンドの自由端に蝶着され、したがって、蝶着位置に関して及び前記可動スタンドに対して回転可能である、第２の足スタンド；
第１の引張棒であって、該第１の引張棒の両端が前記第１の足スタンド及び前記可動スタンドにそれぞれ蝶着され、それによって、前記可動スタンド及び前記第１の足スタンドは、前記着座パネル及び該第１の引張棒の制限下で協働して回転する、第１の引張棒；並びに
第２の引張棒であって、該第２の引張棒の両端が前記着座部分及び前記第２の足スタンドにそれぞれ蝶着され、それによって、前記第２の足スタンド及び前記着座パネルは、前記可動スタンド及び該第２の引張棒の制限下で協働して回転する、第２の引張棒
を備える、折り畳み座席。
【請求項２】
前記第１の足スタンドは、第１の支持脚部及び第２の支持脚部を含み、前記第１の支持脚部の上側端が前記着座部分の第１の蝶着位置に蝶着され、前記第２の支持脚部の上側端が前記着座部分の第２の蝶着位置に蝶着され；
前記可動スタンドは、第１の可動棒及び第２の可動棒を含み、前記第１の可動棒の蝶着端が、前記着座部分の第３の蝶着位置に蝶着され；前記第２の可動棒の蝶着端が、前記着座部分の第４の蝶着位置に蝶着され；前記第３の蝶着位置及び前記第４の蝶着位置によって画定される直線は、前記第１の蝶着位置及び前記第２の蝶着位置によって画定される直線に対して平行であり；第３の補強棒が前記第１の可動棒と前記第２の可動棒との間で接続され；前記第２の足スタンドは、第３の支持脚部及び第４の支持脚部を含み、前記第３の支持脚部の上側端が前記第１の可動棒の第５の蝶着位置に蝶着され、前記第４の支持脚部の上側端が前記第２の可動棒の第６の蝶着位置に蝶着され、前記第５の蝶着位置及び前記第６の蝶着位置によって画定される直線は、前記第３の蝶着位置及び前記第４の蝶着位置によって画定される直線に対して平行であり；
前記第１の引張棒の一端が前記第１の可動棒の第７の蝶着位置に蝶着され、前記第１の引張棒の別の端が前記第１の支持脚部の第８の蝶着位置に蝶着され；前記第２の引張棒の一端が前記着座部分の第９の蝶着位置に蝶着され、前記第２の引張棒の別の端が前記第３の支持脚部の第１０の蝶着位置に蝶着され；
前記折り畳み座席は、第３の引張棒及び第４の引張棒を更に含み、前記第３の引張棒の一端が前記第２の可動棒の第１１の蝶着位置に蝶着され、前記第３の引張棒の別の端が前記第２の支持脚部の第１２の蝶着位置に蝶着され；前記第４の引張棒の一端が前記着座部分の第１３の蝶着位置に蝶着され、前記第４の引張棒の別の端が前記第４の支持脚部の第１４の蝶着位置に蝶着され；前記第３の引張棒は前記第１の引張棒に対して平行であり、該第１の引張棒と同じ長さを有し、前記第４の引張棒は前記第２の引張棒に対して平行であり、該第２の引張棒と同じ長さを有する、請求項１に記載の折り畳み座席。
【請求項３】
前記第１の足スタンドは、第１の支持脚部、第２の支持脚部及び第１の補強棒を含み、該第１の補強棒の両端が前記第１の支持脚部及び前記第２の支持脚部にそれぞれ固定され、前記第１の支持脚部の上側端が前記着座部分の第１の蝶着位置に蝶着され、前記第２の支持脚部の上側端が前記着座部分の第２の蝶着位置に蝶着され；
前記可動スタンドは、第１の可動棒及び第２の可動棒を含み、前記第１の可動棒の蝶着端が前記着座部分の第３の蝶着位置に蝶着され；前記第２の可動棒の蝶着端が前記着座部分の第４の蝶着位置に蝶着され、前記第３の蝶着位置及び前記第４の蝶着位置によって画定される直線は、前記第１の蝶着位置及び前記第２の蝶着位置によって画定される直線に対して平行であり、第３の補強棒が前記第１の可動棒と前記第２の可動棒との間で接続され、前記第２の足スタンドは、第３の支持脚部、第４の支持脚部及び第２の補強棒を含み、該第２の補強棒の両端が前記第３の支持脚部及び前記第４の支持脚部にそれぞれ固定され、前記第３の支持脚部の上側端が、前記第１の可動棒の第５の蝶着位置に蝶着され、前記第４の支持脚部の上側端が、前記第２の可動棒の第６の蝶着位置に蝶着され、前記第５の蝶着位置及び前記第６の蝶着位置によって画定される直線は、前記第３の蝶着位置及び前記第４の蝶着位置によって画定される直線に対して平行であり；
前記第１の引張棒の一端が前記第１の可動棒の第７の蝶着位置に蝶着され、前記第１の引張棒の別の端が前記第１の足スタンドの第８の蝶着位置に蝶着され；前記第２の引張棒の一端が前記着座部分の第９の蝶着位置に蝶着され、前記第２の引張棒の別の端が前記第２の足スタンドの第１０の蝶着位置に蝶着される、請求項１に記載の折り畳み座席。
【請求項４】
前記折り畳み座席は、人がもたれる背もたれ部分を更に含み、該背もたれ部分の底部は前記着座部分に蝶着され、それによって、前記背もたれ部分は前記着座部分に対して回転可能である、請求項１に記載の折り畳み座席。
【請求項５】
前記折り畳み座席は、前記着座部分に対する前記背もたれ部分の角度を調整するように構成されている下部構造も含み、該下部構造は、前記背もたれ部分に回転可能に接続されることで前記背もたれ部分に対して回転可能である垂直部分を含み、
前記折り畳み座席は、前記着座部分に据え付けられる調節ボックスを含み；
前記下部構造の前記垂直部分の自由端が前記調節ボックスに挿入されることができ、前記調節ボックスによって固定又は解放され、したがって、前記着座部分に対する前記背もたれ部分の回転角度を制御することができる、請求項４に記載の折り畳み座席。
【請求項６】
前記調節ボックスの上側カバー及び下側底部のそれぞれには、前記下部構造の前記垂直部分が通る下部構造穴があり；
前記下部構造の前記垂直部分は複数のノッチを有し、前記調節ボックスは、前記下部構造の位置が固定されるように、前記ノッチにクランプされるよう構成されているチャックを内部に有し；
前記下部構造穴のそれぞれの幅は、前記下部構造の前記垂直部分の幅よりも僅かに大きく、前記下部構造穴は、前記下部構造の前記垂直部分が前記背もたれ部分の回転とともにスイングすることを可能にする十分な長さを有する、請求項５に記載の折り畳み座席。
【請求項７】
前記折り畳み座席はハンドルも含み、該ハンドルの一端が前記調節ボックスに挿入されるとともに前記チャックにしっかりと接続され、該ハンドルの別の端が前記調節ボックスから延びる、請求項６に記載の折り畳み座席。
【請求項８】
前記折り畳み座席は、前記背もたれ部分の角度を調整する間の衝撃力を和らげるように構成されているばねアセンブリを更に含み、該ばねアセンブリは、ばねシャフト及び主ばねを含み、前記ばねシャフトの一端は前記背もたれ部分に回転可能に接続され、前記下部構造の前記垂直部分に対して平行であり、前記ばねシャフトの別の端は自由端であり、前記調節ボックスに挿入することができ；
前記主ばねは、前記ばねシャフトの外側を覆い、前記背もたれ部分と前記着座部分との間に含まれる角度が既定の角度よりも大きい場合、前記主ばねの両端は、前記背もたれ部分及び前記調節ボックスによってそれぞれ圧縮される、請求項５に記載の折り畳み座席。
【請求項９】
バッフル板が、前記調節ボックスの上側カバーにある前記下部構造穴の側縁から内方に垂直に延び、対応するノッチに向けられ、前記バッフル板は、前記調節ボックスが前記ノッチによって動かなくなることを防止するように構成されている、請求項６に記載の折り畳み座席。
【請求項１０】
前記調節ボックスにはリセットばねが備え付けられ、該リセットばねの一端が、前記チャックが前記ノッチによってクランプされる位置に前記チャックをリセットするように、該チャックにしっかりと接続される、請求項６に記載の折り畳み座席。
【考案の詳細な説明】
【技術分野】
【０００１】
本実用新案は、持ち運び可能な座席の分野に関し、特に、折り畳み座席に関する。
【背景技術】
【０００２】
人口密度が高まり続けるとともに、人間が占有する生活圏はますます大きくなっている。しかし、資源及びスペースは有限であるため、家具及び電化製品が大きなスペースを占めるか否か、その機能が多様であるか否かが、現在のところ、家装飾設計に関して主な検討ポイントになっている。従来の椅子は、水平方向及び垂直方向の双方により大きい空間サイズを占める。家又はオフィスにおいてより大きいスペースが必要である場合、従来の椅子を運び出さなければならず、不都合を生じる。さらに、従来の椅子は、背もたれの角度を調整する機能を有しない。より良く休息するために椅子の背もたれを調整する必要がある場合、又は、救急の患者が搬送プロセスで横たわる必要がある場合、一般的な椅子はそのような需要を満たすことができない。
【考案の概要】
【考案が解決しようとする課題】
【０００３】
したがって、背もたれの角度を調整可能な折り畳み座席が必要である。必要であれば、折り畳み座席を、背もたれと着座パネルとの間の角度を１８０度に調整することによって担架として使用することができる。
【０００４】
本実用新案は、その背もたれの角度を調整可能な折り畳み座席を提供することを目的とする。したがって、本実用新案が提供する折り畳み座席は、着座部分を含み、着座部分が、着座パネル、第１の足スタンド、可動スタンド、第２の足スタンド、第１の引張棒及び第２の引張棒を備え、第１の足スタンドの上側端が着座パネルに蝶着され、したがって、着座パネルに対して蝶着位置に関して回転可能であり；可動スタンドが着座パネルに蝶着され、したがって、着座パネルに対して蝶着位置に関して回転可能であり；第２の足スタンドの上側端が可動スタンドの自由端に蝶着され、したがって、可動スタンドに対して蝶着位置に関して回転可能であり；第１の引張棒の両端が第１の足スタンド及び可動スタンドにそれぞれ蝶着され、それによって、可動スタンド及び第１の足スタンドが、着座パネル及び第１の引張棒の制限下で協働して回転し；第２の引張棒の両端が着座部分及び第２の足スタンドにそれぞれ蝶着され、それによって、第２の足スタンド及び着座パネルが、可動スタンド及び第２の引張棒の制限下で協働して回転することを特徴とする。
【課題を解決するための手段】
【０００５】
好ましい実施形態として、第１の足スタンドは、第１の支持脚部及び第２の支持脚部を含み、第１の支持脚部の上側端が着座部分の第１の蝶着位置に蝶着され、第２の支持脚部の上側端が着座部分の第２の蝶着位置に蝶着される。可動スタンドは、第１の可動棒及び第２の可動棒を含み、第１の可動棒の蝶着端が、着座部分の第３の蝶着位置に蝶着される。第２の可動棒の蝶着端が、着座部分の第４の蝶着位置に蝶着される。第３の蝶着位置及び第４の蝶着位置によって画定される直線は、第１の蝶着位置及び第２の蝶着位置によって画定される直線に対して平行である。第３の補強棒が第１の可動棒と第２の可動棒との間で接続される。第２の足スタンドは、第３の支持脚部及び第４の支持脚部を含み、第３の支持脚部の上側端が第１の可動棒の第５の蝶着位置に蝶着され、第４の支持脚部の上側端が第２の可動棒の第６の蝶着位置に蝶着される。第５の蝶着位置及び第６の蝶着位置によって画定される直線は、第３の蝶着位置及び第４の蝶着位置によって画定される直線に対して平行である。第１の引張棒の一端が第１の可動棒の第７の蝶着位置に蝶着され、第１の引張棒の別の端が第１の支持脚部の第８の蝶着位置に蝶着される。第２の引張棒の一端が着座部分の第９の蝶着位置に蝶着され、第２の引張棒の別の端が第３の支持脚部の第１０の蝶着位置に蝶着される。折り畳み座席は、第３の引張棒及び第４の引張棒を更に含み、第３の引張棒の一端が第２の可動棒の第１１の蝶着位置に蝶着され、第３の引張棒の別の端が第２の支持脚部の第１２の蝶着位置に蝶着される。第４の引張棒の一端が着座部分の第１３の蝶着位置に蝶着され、第４の引張棒の別の端が第４の支持脚部の第１４の蝶着位置に蝶着される。第３の引張棒は第１の引張棒に対して平行であり、第１の引張棒と同じ長さを有する。第４の引張棒は第２の引張棒に対して平行であり、第２の引張棒と同じ長さを有する。
【０００６】
好ましい実施形態として、第１の足スタンドは、第１の支持脚部、第２の支持脚部及び第１の補強棒を含み、第１の補強棒の両端が第１の支持脚部及び第２の支持脚部にそれぞれ固定される。第１の支持脚部の上側端が着座部分の第１の蝶着位置に蝶着され、第２の支持脚部の上側端が着座部分の第２の蝶着位置に蝶着される。可動スタンドは、第１の可動棒及び第２の可動棒を含み、第１の可動棒の蝶着端が着座部分の第３の蝶着位置に蝶着される。第２の可動棒の蝶着端が着座部分の第４の蝶着位置に蝶着される。第３の蝶着位置及び第４の蝶着位置によって画定される直線は、第１の蝶着位置及び第２の蝶着位置によって画定される直線に対して平行である。第３の補強棒が第１の可動棒と第２の可動棒との間で接続される。第２の足スタンドは、第３の支持脚部、第４の支持脚部及び第２の補強棒を含み、第２の補強棒の両端が第３の支持脚部及び第４の支持脚部にそれぞれ固定される。第３の支持脚部の上側端が、第１の可動棒の第５の蝶着位置に蝶着される。第４の支持脚部の上側端が、第２の可動棒の第６の蝶着位置に蝶着される。第５の蝶着位置及び第６の蝶着位置によって画定される直線は、第３の蝶着位置及び第４の蝶着位置によって画定される直線に対して平行である。第１の引張棒の一端が第１の可動棒の第７の蝶着位置に蝶着され、第１の引張棒の別の端が第１の足スタンドの第８の蝶着位置に蝶着される。第２の引張棒の一端が着座部分の第９の蝶着位置に蝶着され、第２の引張棒の別の端が第２の足スタンドの第１０の蝶着位置に蝶着される。
【０００７】
好ましい実施形態として、折り畳み座席は、人がもたれる背もたれ部分も含み、背もたれ部分の底部は着座部分に蝶着され、それによって、背もたれ部分は着座部分に対して回転可能である。
【０００８】
好ましい実施形態として、折り畳み座席は、着座部分に対する背もたれ部分の角度を調整するように構成されている下部構造（undercarriage）も含み、下部構造は、背もたれ部分に回転可能に接続されることで背もたれ部分に対して回転可能である垂直部分を含む。折り畳み座席は、着座部分に据え付けられる調節ボックスを更に含む。下部構造の垂直部分の自由端が調節ボックスに挿入されることができ、調節ボックスによって固定又は解放され、したがって、着座部分に対する背もたれ部分の回転角度を制御することができる。
【０００９】
好ましい実施形態として、調節ボックスの上側カバー及び下側底部のそれぞれには、下部構造の垂直部分が通る下部構造穴がある。下部構造の垂直部分は複数のノッチを有し、調節ボックスは、下部構造の位置が固定されるように、対応するノッチにクランプされるよう構成されているチャックを有する。下部構造穴のそれぞれの幅は、下部構造の垂直部分の幅よりも僅かに大きく、下部構造穴は、下部構造の垂直部分が背もたれ部分の回転とともにスイングすることを可能にする十分な長さを有する。
【００１０】
好ましい実施形態として、折り畳み座席は、一端が調節ボックスに挿入されるとともにチャックにしっかりと接続され、他端が調節ボックスから延びる、ハンドルも含む。
【００１１】
好ましい実施形態として、折り畳み座席は、背もたれ部分の角度を調整する間の衝撃力を和らげるように構成されているばねアセンブリも含む。ばねアセンブリは、ばねシャフト及び主ばねを含む。ばねシャフトの一端は背もたれ部分に回転可能に接続され、下部構造の垂直部分に対して平行であり、ばねシャフトの別の端は自由端であり、調節ボックスに挿入することができる。主ばねは、ばねシャフトの外側を覆う。背もたれ部分と着座部分との間に含まれる角度が既定の角度よりも大きい場合、主ばねの両端は、背もたれ部分及び調節ボックスによってそれぞれ圧縮される。
【００１２】
好ましい実施形態として、バッフル板が、調節ボックスの上側カバー又は下側底部の下部構造穴の側縁から内方／外方に垂直に延び、対応するノッチに向けられ、バッフル板は、調節ボックスの上側カバー又は下側底部がノッチによって動かなくなることを防止するように構成されている。
【００１３】
好ましい実施形態として、調節ボックスにはリセットばねが備え付けられる。リセットばねの一端が、チャックが対応するノッチによってクランプされる位置にチャックをリセットするように、チャックにしっかりと接続される。
【００１４】
したがって、本実用新案を実現することによって、背もたれの角度を調整可能な折り畳み座席が得られ、これは、必要であれば、背もたれと着座パネルとの間の角度を１８０度に調整することによって担架として働くことができる。
【図面の簡単な説明】
【００１５】
【図１】本実用新案の折り畳み座席の構造図である。
【図２】図１の折り畳み座席の着座部分の使用状態の構造図である。
【図３】図２の着座部分の半折り状態の構造図である。
【図４】図２の着座部分の半折り状態の構造図である。
【図５】図２の着座部分の完全に折り畳まれた状態の構造図である。
【図６】図１に示されているような折り畳み座席の背もたれ部分の構造図である。
【図７】調節ボックスを除く、図１の折り畳み座席の調節部分の構造図である。
【図８】図１の折り畳み座席の調節ボックスの構造図である。
【図９】図８の調節ボックスの内部構造図である。
【図１０】図８の調節ボックスの上面の内部構造図である。
【考案を実施するための形態】
【００１６】
図１を参照すると、本実用新案の折り畳み座席は、着座部分１００、背もたれ部分２００及び調節部分３００を主に含む。
【００１７】
図２〜図４を参照すると、着座部分１００は、着座パネル１１０、第１の足スタンド１２０、第２の足スタンド１３０及び可動スタンド１４０を含む。第１の足スタンド１２０は、第１の支持脚部１２１及び第２の支持脚部１２３を含み、第１の支持脚部１２１の上側端及び第２の支持脚部１２３の上側端は、着座部分１００の第１の蝶着位置及び第２の蝶着位置にそれぞれ蝶着される。この実施形態では、第１の蝶着位置及び第２の蝶着位置は、着座部分１００の第１の側縁１１１に位置付けられるが、本実用新案はこの実施形態に限定されない。好ましくは、第１の蝶着位置及び第２の蝶着位置は、第１の側縁１１１の両端、又は、第１の側縁１１１の両端に近い位置にそれぞれ位置付けられる。第１の支持脚部１２１及び第２の支持脚部１２３は、第１の補強棒１６３によってしっかりと接続され、第１の補強棒１６３は、第１の支持脚部１２１及び第２の支持脚部１２３に対して基本的に垂直である。したがって、第１の足スタンド１２０はＨ字状であるか、又は、幅狭の上部及び広い底部を有するＨ字状であり、第１の蝶着位置及び第２の蝶着位置によって画定される直線の周りで着座パネル１１０に対して回転可能である。
【００１８】
折り畳み座席が展開された状態にあるとき、第２の足スタンド１３０は、着座パネル１１０の底部の第２の側縁１１３を支持するように構成されている。この実施形態では、第１の側縁１１１及び第２の側縁１１３は対向し、互いに平行である。第２の足スタンド１３０は、地面に対して支持するように構成されている第３の支持脚部１２５及び第４の支持脚部１２７を含む。同様に、第３の支持脚部１２５及び第４の支持脚部１２７は、第２の補強棒１６５によってしっかりと接続され、第２の補強棒１６５は、第３の支持脚部１２５及び第４の支持脚部１２７に対して基本的に垂直である。したがって、第２の足スタンド１３０もＨ字状であるか、又は、幅狭の上部及び広い底部を有するＨ字状であり、着座パネル１１０に対して移動可能である。
【００１９】
より高い足スタンドの状況では、第１の補強棒１６３に対して平行な別の補強棒を第１の支持脚部１２１と第２の支持脚部１２３との間に加えることができ；同様に、第２の補強棒１６５に対して平行な別の補強棒を、構造を補強するように第３の支持脚部１２５と第４の支持脚部１２７との間に加えることができる。可動スタンド１４０は、着座部分１００を簡便に折り畳むように設計されており、第２の足スタンド１３０を着座パネル１１０に接続するように構成されており、可動スタンド１４０は、第１の可動棒１４１及び第２の可動棒１４３を含み、第１の可動棒１４１の一端は、着座部分１００の第３の蝶着位置に蝶着され、この実施形態では、第３の蝶着位置は、着座部分１００の第３の側縁１１５の中間付近の位置に位置付けられる。第２の可動棒１４３の一端は、着座部分１００の第４の蝶着位置に蝶着され、この実施形態では、第４の蝶着位置は、着座部分の第４の側縁１１７の中間付近の位置に位置付けられる。この実施形態では、着座パネル１１０の第３の側縁１１５及び第４の側縁１１７は互いに基本的に平行であり、第１の可動棒１４１及び第２の可動棒１４３は互いに基本的に平行である。好ましくは、第３の補強棒１６７が第１の可動棒１４１と第２の可動棒１４３との間でしっかりと接続され、第３の補強棒１６７は第１の可動棒１４１及び第２の可動棒１４３に対して基本的に垂直である。したがって、第３の補強棒１６７、第１の可動棒１４１及び第２の可動棒１４３はＨ字状を形成し、それらを一体化したものは、着座パネル１１０に対して回転可能である。
【００２０】
任意選択的な実施形態として、１つ又は複数の補強棒１６７を第１の可動棒１４１と第２の可動棒１４３との間に加えることができる。例えば、この実施形態では、２つの補強棒１６７及び１６８が第１の可動棒１４１と第２の可動棒１４３との間に加えられる。特定の距離だけ離間しているとともに互いに基本的に平行である２つの補強棒は、第１の可動棒１４１及び第２の可動棒１４３とともに
0003202243.tif 000003
形状を構成する。
【００２１】
第３の支持脚部１２５の上側端は、第１の可動棒１４１の第５の蝶着位置に蝶着され、第３の支持脚部１２５の下側端は地面にあるように構成されている。第４の支持脚部１２７の上側端は、第２の可動棒１４３の第６の蝶着位置に蝶着され、第４の支持脚部１２７の下側端は地面にあるように構成されている。したがって、第２の足スタンド１３０は、第５の蝶着位置及び第６の蝶着位置によって画定される直線の周りで可動スタンド１４０／着座パネル１１０に対して回転可能である。第５の蝶着位置及び第６の蝶着位置によって画定される直線は、第３の蝶着位置及び第４の蝶着位置によって画定される直線に対して基本的に平行である。
【００２２】
上述したように、第１の足スタンド１２０は着座パネル１１０に対して回転可能であるため、可動スタンド１４０は、着座パネル１１０に対して回転可能であり、第２の足スタンド１３０は、可動スタンド１４０の自由端に蝶着され、可動スタンド１４０に対して回転可能である。したがって、第２の足スタンド１３０は、第１の足スタンド１２０に近づくことが可能であり、（図４を参照する）折り畳みプロセスにおいて第１の足スタンド１２０に最終的にくっつき、この時点で、可動スタンド１４０もおよそ１８０度回転し、着座パネル１１０にくっつく。
【００２３】
第１の足スタンド１２０、第２の足スタンド１３０及び可動スタンド１４０の相対的な位置関係及び移動プロセスを制御及び連係させるために、折り畳み座席には、第１の足スタンド１２０、第２の足スタンド１３０及び可動スタンド１４０を接続するように構成されている複数の引張棒も備え付けられる。
【００２４】
この場合、第１の引張棒１５１の一端は、可動スタンド１４０の第１の可動棒１４１の第７の蝶着位置１７１に接続され、第１の引張棒１５１の他端は、第１の支持脚部１２１の第８の蝶着位置１７２に接続される。したがって、第１の可動棒１４１、着座パネル１１０、第１の支持脚部１２１及び第１の引張棒１５１は接続されて四辺形（図４を参照）を形成し、４つの上述した構成要素の相対移動は、四辺形の辺の長さによって制限される。例えば、可動スタンド１４０の第１の可動棒１４１が着座パネル１１０に対して回転すると、第１の支持脚部１２１は、第１の引張棒１５１によって駆動され、着座パネル１１０に対して回転する。
【００２５】
第２の引張棒１５３の一端は、着座パネル１１０の第３の側縁１１５の第９の蝶着位置１７３に蝶着され、第２の引張棒１５３の他端は、第３の支持脚部１２５の第１０の蝶着位置１７４に蝶着される。したがって、第１の可動棒１４１、着座パネル１１０、第３の支持脚部１２５及び第２の引張棒１５３は接続されて四辺形を形成し、４つの上述した構成要素の相対移動は、四辺形の辺の長さによって制限される。例えば、可動スタンド１４０の第１の可動棒１４１が着座パネル１１０に対して回転すると、第３の支持脚部１２５は第２の引張棒１５３によって駆動され、第１の可動棒１４１に対して回転する。
【００２６】
上述したように、第１の足スタンド１２０は全体的にＨ字状であり、したがって、第２の支持脚部１２３及び第１の支持脚部１２１は同期して移動する。同様に、第２の足スタンド１３０の第４の支持脚部１２７及び第３の支持脚部１２５は同期して移動し、可動スタンド１４０の第２の可動棒１４３及び第１の可動棒１４１は同期して移動する。したがって、上述した第１の引張棒１５１は、可動スタンド１４０全体、第１の足スタンド１２０全体及び着座パネル１１０の相対移動を制限することが実際に可能であり；同様に、上述した第２の引張棒１５３は、可動スタンド１４０全体、第２の足スタンド１３０全体及び着座パネル１１０の相対移動を制限することが可能である。
【００２７】
第３の引張棒１５５及び第４の引張棒１５７も加えて、上述したものの制限関係を高めることができることに留意されたい。この実施形態では、第３の引張棒１５５の一端は、第２の可動棒１４３の第１１の蝶着位置１７５に接続され、第３の引張棒１５５の他端は、第２の支持脚部１２３の第１２の蝶着位置１７６に接続される。第３の引張棒１５５は、第１の引張棒１５１に対して基本的に平行であり、第１の引張棒１５１の機能と同様の機能を有する。第４の引張棒１５７の一端は、着座パネルの第４の側縁１１７の第１３の蝶着位置１７７に蝶着され、第４の引張棒１５７の他端は、第４の支持脚部の第１４の蝶着位置１７８に蝶着される。第４の引張棒１５７は、第２の引張棒１５３に対して基本的に平行であり、第２の引張棒１５３の機能と同様の機能を有する。
【００２８】
着座パネル１１０、第１の足スタンド１２０及び第２の足スタンド１３０は支持ブラケットを形成し、第１の引張棒１５１及び第２の引張棒１５３は、着座部分１００を固定するように、着座パネル及び足スタンドから構成される支持ブラケットをそれぞれ制限するのに用いられる。
【００２９】
図１を参照して、調整部分３００は調節ボックス３１０及び下部構造３２０を含み、調節ボックス３１０は、背もたれ角度を調整するように構成されている。調節ボックス３１０は、着座パネル１１０の第２の側縁１１３の外面に据え付けられる。下部構造３２０の一端は背もたれ部分２００に蝶着され、下部構造３２０の他端は調節ボックス３１０に挿入される。背もたれ部分２００及び着座パネル１１０によって形成される角度が大きいほど、下部構造３２０が調節ボックス３１０内に延びる長さが長くなることに留意されたい。調節ボックス３１０には、下部構造３２０の埋め込まれる長さをロック可能な装置が備え付けられ、それによって、着座パネル１１０に対する背もたれ部分２００の回転角度が固定される。
【００３０】
この実施形態では、調節部分３００はばねアセンブリ３３０を更に含む。好ましくは、ばねアセンブリ３３０は概して圧縮状態にある。ユーザが背もたれ部分２００及び着座パネル１１０によって形成される角度を調整する必要がある場合、背もたれ部分２００の回転方向は重力の方向と同じであり、この時点で、ばねアセンブリ３００は更に圧縮されて背もたれ部分２００があまりに速く倒れることを防止する。ユーザが背もたれ部分２００及び着座パネル１１０によって形成される角度を低減する必要がある場合、背もたれ部分２００の回転方向は重力方向とは反対であり、ばねアセンブリ３３０の弾性力方向と同じであり、すなわち、ばねアセンブリ３３０はブースト力を供給する。
【００３１】
図１及び図７を参照すると、下部構造３２０は概ねＴ字状であり、横梁３２１、及び、横梁３２１に垂直に接続されるボルト３２３を含み、ボルト３２３の下側端は複数のノッチ３２４を有する。好ましくは、ボルト３２３は平坦である。ばねアセンブリ３３０は、ばねピラー３３２、及び、ばねピラー３３２を覆う主ばね３３４を含む。ばねピラー３３２はまた、横梁３２１に垂直に接続され、ボルト３２３に対して平行である。ばねピラー３３２は主に、主ばね３３４が曲がることを防止するように構成されている。一実施形態として、最上端の２つのノッチ３２４の下側縁は、内側から外側に下方へ傾斜し、それによって、その最大角度を自動的に低減することができる。
【００３２】
図８〜図１０を参照すると、ハンドル調節ボックス３１０の上側カバーが、下部構造３２０のボルト３２３を通す下部構造穴３１１ａ、及び、ばねピラー３３２を通す穴３１２ａを有する。下部構造穴３１１ａの幅は、ボルト３２３の幅（ノッチ３２４の刻み目方向のボルトサイズ）よりも僅かに大きく、穴３１２ａの幅は、ばねピラー３３２の外径よりも僅かに大きい。同様に、調節ボックス３１０の下側底部は、下部構造３２０のボルト３２３が通る下部構造穴３１１ｂ、及び、ばねピラー３３２が通る穴３１２ｂを有する。穴３１１ａ及び３１１ｂは、背もたれ部分２００の回転方向に沿って特定の長さを有し、それによって、下部構造３２０の下側端は、背もたれ部分２００の回転プロセスにおいて下部構造穴３１１ａ及び３１１ｂ内でスイングすることができる。
【００３３】
主ばね３３４の下側端は、背もたれ部分の角度を調整するときに衝撃力を和らげ、ユーザの安全を確実にするために調節ボックス３１０を通って貫通するべきではないことに留意されたい。この実施形態では、主ばね３３４の下側端は調節ボックス３１０の上側カバーに配置され、ばねシャフトの穴３１２ａの幅は、主ばね３３４がばねシャフトの穴３１２ａを通って貫通することを防止するように、主ばね３３４の直径よりも小さい。ばねシャフトの穴３１２ａ及び３１２ｂのそれぞれの長さは、ばねシャフト３３２の直径よりも大きく、それによって、ばねシャフト３３２は、背もたれ部分２００の回転とともに小さい振幅でスイング可能である。好ましくは、構造を補強するように構成されている補強板３１６が、調節ボックス３１０の上側カバーの穴３１２ａの１つの側又は周囲に配置される。
【００３４】
調節ボックス３１０の上側カバー及び／又は下側底部の下部構造穴３１１ａ及び／又は３１１ｂの側縁から内方／外方に垂直に延びるバッフル板３０１があり、調節ボックス３１０の下側底部の場合、バッフル板３０１は専ら外方に垂直に延びる。バッフル板３０１は、調節ボックス３１０の上側カバー及び／又は下側底部がノッチ３２４によって動かなくなることを防止するのに用いられる。好ましくは、バッフル板は調節ボックス３１０内に配置される。
【００３５】
図８及び図９を参照して、下部構造３２０のボルト３２２の挿入位置を固定するように構成されているハンドル３１３が調節ボックス３１０の１つの側縁に据え付けられる。ハンドル３１３の、調節ボックス３１０に挿入される一端はチャック３１４にしっかりと接続される。チャック３１４は、下部構造３２０の位置を固定するように、ハンドル３１３に押されることでノッチ３２４のうちの１つに挿入される。調節ボックス３１０の底部の内面には突出した第１のシリンダ３１５ａがあり、チャック３１４の上面には突出した第２のシリンダ３１５ｂがある。第１のシリンダ３１５ａ及び第２のシリンダ３１５ｂは復元ばね３１７によって接続され、復元ばね３１７は、力を、ハンドル３１３を引くことによる力の方向とは反対に、チャック３１４に印加し、復元ばね３１７によって生成される弾性力によって、調節ボックス３１０の安定性を確実にするように、チャック３１４がボルト３２２のノッチと常に安定してクランプ及びロックされる。背もたれ部分２００を再び回転させる必要がある場合、ハンドル３１３を、手を用いて外方に引くことができ、次に、チャック３１４とボルト３２２との間のロックを解放することができる。チャック３１４の移動方向に沿って長く幅狭のＵ字形の穴３１８がある。制限ねじ３１９ａが、制限ナット３１９ｂによって調節ボックス３１０の底部に据え付けられ、制限ねじ３１９ａはＵ字形の穴３１８を通って貫通し、調節部分３００の一体構造の安定性を確実にするように、チャック３１４を、単一の方向にのみ沿って前後に移動するよう制限するのに用いられる。ねじ３１９ａはナット３１９ｂに緩く嵌まる。ナット３１９ｂとチャック３１４との間には中間子３１９Ｃがある。中間子３１９Ｃの機能は、上下移動を制限することであり、それによって、チャック３１４の移動範囲が大き過ぎることがない。
【００３６】
本実用新案が提供する折り畳み座席の実際の使用では、背もたれ部分の角度を、調節部分３００によって調整することができる。例えば、折り畳み座席が第１の状態にあるとき、背もたれ部分２００と着座パネル１１０との間の角度は９０度である。上述した角度を小さい振幅だけ増大させる必要がある場合、ハンドル３１３を外方に引くことができ、この時点で、チャック３１４は下部構造のノッチ３２４から離され、次に、背もたれ部分２００を後方に回転させることができる。背もたれ部分２００は、着座パネル１１０に蝶着されるため、自由に回転することができる。主ばね３３４は更に圧縮されて緩衝の役割を果たす。下部構造３２０は、調節ボックス３１０に下方により深く挿入され、所望の角度に達した後で、ハンドル３１３を解放することができ、それによって、チャック３１４を、復帰ばね３１７の作用下でその時点の位置において対応するノッチ３２４内にクランプし、したがって背もたれ部分２００は固定される。背もたれ部分２００が後方に回転すると、下部構造３２０及びばねシャフト３３２の下側端が駆動されてスイングすることに留意されたい。スイング方向に沿う下部構造穴３１１ａ及び３１１ｂ並びに穴３１２ａ及び３１２ｂの長さがより大きいほど、背もたれ部分２００の調整可能な角度がより大きくなる。背もたれ部分２００と着座パネル１１０との間の角度は概ね９０度〜１３０度である。例えば折り畳み座席を担架として用いる、より大きい角度範囲が必要である場合、背もたれ部分２００を最初に前方に回転させることができ、それによって、下部構造３２０の下側端及びばねアセンブリ３３０の下側端が調節ボックス３１０から分離され、次に、背もたれ部分２００を１８０度まで後方に曲げることができる。
【００３７】
折り畳み座席を折り畳む必要がある場合、背もたれ部分２００を最初に前方に回転させ、それによって、下部構造３２０及びばねアセンブリ３３０は調節ボックス３１０から分離され、最後に、背もたれ部分２００は着座パネル１１０にくっつく。次に、着座パネル１１０の第２の側縁１１３を持ち上げ、この時点で、可動スタンド１４０は着座パネル１１０から分離され、第２の足スタンド１３０は、重力の作用下で第１の足スタンド１２０に近づき、最終的に第１の足スタンド１２０にくっつく。着座部分１００が次に平坦な板になる。この時点で、第１の足スタンド１２０、第２の足スタンド１３０、可動スタンド１４０、背もたれ部分２００及び着座パネル１１０は基本的に同じ平面にあり、したがって、折り畳み座席全体は平坦な板となり、小さいスペースに保管することができる。
【００３８】
当業者には、変形及び改良を本実用新案に対して行うことができるが、これらの変形及び改良は本実用新案の保護範囲内に入るべきであることが明らかである。したがって、本実用新案の保護範囲は実用新案登録請求の範囲によって規定される。
【図１】
0003202243.tif 000004
【図２】
0003202243.tif 000005
【図３】
0003202243.tif 000006
【図４】
0003202243.tif 000007
【図５】
0003202243.tif 000008
【図６】
0003202243.tif 000009
【図７】
0003202243.tif 000010
【図８】
0003202243.tif 000011
【図９】
0003202243.tif 000012
【図１０】
0003202243.tif 000013